(57)【要約】【課題】  塗膜転写具の使用中において、供給リールに巻回した転写テープの残量が少なくなった場合に、そのことを使用者が容易に知ることができるようにする。【解決手段】  前端に開口を有するケース内に、供給リール３と巻取リールを配設し、前記開口より転写ヘッドにおける前端のヘッド部を突出させ、供給リール３に巻回した転写テープ８を繰出し、前記ヘッド部で反転させて巻取リールに巻取らせるようにした塗膜転写具において、供給リール３における、転写テープ８が巻回される外周面９に、多重層に巻回した転写テープ８における単数または複数の内側層８ａに残量表示マーク１１を打刻するための突起部１０を設ける。【選択図】        図３
2005343067.tif 000002
【特許請求の範囲】
【請求項１】
前端に開口を有するケース内に、供給リールと巻取リールを配設し、前記開口より転写ヘッドにおける前端のヘッド部を突出させ、供給リールに巻回した転写テープを繰出し、前記ヘッド部で反転させて巻取リールに巻取らせるようにした塗膜転写具において、
供給リールにおける、転写テープが巻回される外周面に、多重層に巻回した転写テープにおける単数または複数の内側層に残量表示マークを打刻するための突起部を設けたことを特徴とする塗膜転写具。
【請求項２】
突起部を、転写テープに貫通孔または押し凹型の残量表示マークを打刻しうるようなものとしたことを特徴とする請求項１記載の塗膜転写具。
【請求項３】
突起部を、供給リールにおける、転写テープを巻回す外周面に、周方向に沿って複数個設けたことを特徴とする請求項１または２記載の塗膜転写具。
【請求項４】
突起部を、供給リールにおける、転写テープを巻回す外周面に、周方向に沿って複数列設けたことを特徴とする請求項１〜３のいずれかに記載の塗膜転写具。
【請求項５】
突起部を、高さが異なるものを複数種類設けたことを特徴とする請求項１〜４のいずれかに記載の塗膜転写具。
【請求項６】
多重層に巻回された転写テープにおける単数または複数の内側層に、貫通孔または押し凹型からなる残量表示マークを施したことを特徴とする塗膜転写具用転写テープ。
【発明の詳細な説明】
【技術分野】
【０００１】
本発明は、手で把持して、紙面等を押圧しながら後方へ移動させることにより、供給リールから繰出される転写テープに塗着されている糊料または修正用の塗膜を、紙面等に転写する塗膜転写具に関する。
【背景技術】
【０００２】
塗膜転写具を使用する場合、ケースの前端の開口から外側に突出している、転写ヘッドにおける前端のヘッド部の下面を、紙面等の被転写面に押圧しながら後方に移動させることにより、供給リールに巻回されている転写テープを繰出して、塗膜の転写が行われる。
【０００３】
しかし、供給リールに巻回されている転写テープの残量は、塗膜転写具のケースが不透明の場合は、ケースの外側からは、全く知ることができず、また前記ケースが透明の場合も、ケースの外側から転写テープの残量長さをほぼ正確に判断することは困難であった。そのため、使用中において、実際に、転写テープの残量がほぼ零になって初めて、そのことを知る場合が多く、たとえば、糊料塗膜の場合、予定していた部分の一部しか転写できない場合は、そのままでは、接着不可となるばかりでなく、その後は、他の塗膜転写具を用意するまでは、接着作業が行えないという不便があった。
【０００４】
一方、供給リールに巻回されている転写テープの残量が少ないことを使用者に知らせる手段について記載した文献は、本発明者が知る限りにおいては、見出されていない。
【発明の開示】
【発明が解決しようとする課題】
【０００５】
本発明は、前記の現状に鑑み、使用中において、供給リールに巻回した転写テープの残量が少なくなった場合に、そのことを使用者が容易に知ることができるようにした塗膜転写具およびそれに用いる転写テープを提供することを目的とする。
【課題を解決するための手段】
【０００６】
本発明によると、上記課題は、次のようにして解決される。
(１)  前端に開口を有するケース内に、供給リールと巻取リールを配設し、前記開口より転写ヘッドにおける前端のヘッド部を突出させ、供給リールに巻回した転写テープを繰出し、前記ヘッド部で反転させて巻取リールに巻取らせるようにした塗膜転写具において、供給リールにおける、転写テープが巻回される外周面に、多重層に巻回した転写テープにおける単数または複数の内側層に残量表示マークを打刻するための突起部を設ける。
【０００７】
(２)  上記(１)項において、突起部を、転写テープに貫通孔または押し凹型の残量表示マークを打刻しうるようなものとする。
【０００８】
(３)  上記(１)項または(２)項において、突起部を、供給リールにおける、転写テープを巻回す外周面に、周方向に沿って複数個設ける。
【０００９】
(４)  上記(１)項〜(３)項のいずれかにおいて、突起部を、供給リールにおける、転写テープを巻回す外周面に、周方向に沿って複数列設ける。
【００１０】
(５)  上記(１)項〜(４)項のいずれかにおいて、突起部を、高さが異なるものを複数種類設ける。
【００１１】
(６)  多重層に巻回された転写テープにおける単数または複数の内側層に、貫通孔または押し凹型からなる残量表示マークを施す。
【発明の効果】
【００１２】
本発明によると、次のような効果が奏せられる。
請求項１記載の発明によれば、供給リールにおける、転写テープを巻回す外周面に突起部が設けられており、この突起部によって、多重層に巻回された転写テープにおける単数または複数の内側層に自動的に残量表示マークが打刻されるとともに、使用者は、塗膜転写具の使用中において、供給リールから繰出されてくる転写テープまたは転写された塗膜における残量表示マークを見て、転写テープの残量が少ないことを容易に知ることができる。このため、他の塗膜転写具を用意するなどして、転写作業の中断を防止するなどの的確な対応をとることができる。
【００１３】
請求項２記載の発明によれば、転写テープに貫通孔または押し凹型の残量表示マークが打刻されるため、使用者が容易に視認することができる。
【００１４】
請求項３記載の発明によれば、転写テープまたは転写された塗膜上に、長さ方向に複数の残量表示マークが表示されるため、使用者が転写テープの残量を、時間的に余裕をもって、容易に視認することができる。
【００１５】
請求項４記載の発明によれば、転写テープまたは転写された塗膜上に、長さ方向に複数列の残量表示マークが表示されるため、使用者が転写テープの残量を容易に視認することができる。
【００１６】
請求項５記載の発明によれば、高さが異なる複数種類の突起部が設けられているため、使用者は、転写テープの残量に未だ比較的余裕があるうちは、高さが高い突起部だけによって打刻された残量表示マークを視認することによって、そのことを知ることができるとともに、転写テープの残量が少なくなった場合においては、高さが高い突起部と低い突起部の両者によって打刻された残量表示マークを視認することによって、そのことを知ることができる。このため、使用者は、時間的に余裕をもって対応することができる。
【００１７】
請求項６記載の発明によれば、使用者は、塗膜転写具の使用中において、転写テープまたは転写された塗膜における残量表示マークを見て、転写テープの残量が少ないことを容易に知ることができるため、他の塗膜転写具を用意するなどして、転写作業の中断を防止するなどの的確な対応をとることができる。
【発明を実施するための最良の形態】
【００１８】
以下、本発明の実施形態を、図面に基づいて説明する。
【実施例１】
【００１９】
図１は、本発明の塗膜転写具(１)の一実施形態を、蓋ケース(２)を取り外して示す斜視図、図２は、図１に示す塗膜転写具(１)における供給リール(３)の拡大斜視図、図３は、同じく平面図、図４は塗膜転写具(１)の使用状態を示す斜視図である。
【００２０】
塗膜転写具(１)は、図１に示すように、前端に開口(4a)(2a)を有する１対の本体ケース(４)と蓋ケース(２)からなるケース(５)内に、供給リール(３)と巻取リール(６)とが配設され、前記開口(4a)(2a)より突出された、転写ヘッド(７)における前端のヘッド部(7a)において、供給リール(３)より繰出された転写テープ(８)を反転させて巻取リール(６)に巻取らせるようになっている。
【００２１】
供給リール(３)には、図２，図３に示すように、転写テープ(８)を巻回す外周面(９)に、複数の突起部(10)が、周方向に沿って一列に全周に亘って等間隔で設けられている。
【００２２】
この突起部(10)は、円錐状をなし、転写テープ(８)の複数層分の合計厚さとほぼ同じ高さＨ１を有している。そのため、転写テープ(８)を、供給リール(３)に多重層に巻回すと同時に、その複数の内側層(8a)、たとえば最内側層から５層の内側層までに、自動的に貫通孔からなる残量表示マーク(11)が打刻される。
【００２３】
塗膜転写具(１)を使用中に、供給リール(３)に巻回されている転写テープ(８)の残量が少なくなると、図４に示すように、残量表示マーク(11)が打刻された転写テープ(８)が現れ、同時に、転写された塗膜(12)にも、残量表示マーク(11)が認められるようになる。
【００２４】
したがって、使用者は、これら残量表示マーク(11)を視認することにより、供給リール(３)に巻回されている転写テープ(８)の残量が少なくなっていることを、容易に知ることができる。
【実施例２】
【００２５】
図５は、供給リール(13)の第２実施形態を示す斜視図である。この実施形態における供給リール(13)は、転写テープを巻回す外周面(14)に、複数の突起部(15)が、周方向に沿って３列に、全周に亘って等間隔で設けられている。
【００２６】
このように、突起部(15)を複数列設けることにより、使用中における残量表示マークの視認が容易になる。
【実施例３】
【００２７】
図６は、供給リール(16)の第３実施形態を示す斜視図、図７は、同じく平面図である。
【００２８】
この実施形態における供給リール(16)は、転写テープ(17)を巻回す外周面(18)に、高さの異なる複数の突起部(19a)(19b)(19c)が、周方向に沿って１列に、全周に亘って等間隔で設けられている。
【００２９】
すなわち、供給リール(16)の外周面(18)に、高さＨ２を有する４個の突起部(19a)が周方向に等間隔で設けられ、これらの隣接する２個の突起部(19a)(19a)間の中央に、高さＨ３を有する突起部(19b)が各１個ずつ合計４個設けられ、さらに高さの異なる前記隣接する２個の突起部(19a)(19b)間の中央に、高さＨ４を有する突起部(19c)が各１個ずつ合計８個設けられている。
【００３０】
これら高さの異なる３種類の突起部(19a)(19b)(19c)の高さは、Ｈ２＞Ｈ３＞Ｈ４の関係を有している。
【００３１】
このような供給リール(16)を用いることにより、使用中において、供給リール(16)に巻回された転写テープ(17)の残量が少なくなるに従い、次の順序で残量表示マークが打刻された転写テープ(17)およびその塗膜が現れる。
【００３２】
すなわち、転写テープ(17)の残量が充分にある間は、残量表示マークが打刻された転写テープ(17)は現れない。転写テープ(17)の残量が少なくなると、残量表示マークが打刻された転写テープ(17)およびその塗膜が現れるが、未だ残量に比較的余裕があるうちは、高さの最も高い突起部(19a)のみによって打刻された残量表示マークを有する転写テープ(17)およびその塗膜が現れる。次いで、転写テープ(17)の残量が少なくなり余裕がなくなってくると、高さが１番目と２番目に高い両者の突起部(19a)(19b)によって打刻された残量表示マークを有する転写テープ(17)およびその塗膜が現れる。
【００３３】
この場合の残量表示マークの間隔は、前記の転写テープ(17)の残量に未だ比較的余裕がある場合における残量表示マークの間隔の２分の１の間隔となる。
【００３４】
次いで、転写テープ(17)の残量がさらに少なくなり、零に近ずくと、高さが異なる３種類のすべての突起部(19a)(19b)(19c)によって打刻された残量表示マークを有する転写テープ(17)およびその塗膜が現れる。
【００３５】
この場合の残量表示マークの間隔は、高さが１番目と２番目に高い両突起部(19a)(19b)によって打刻された残量表示マークの間隔の２分の１となり、狭い間隔となる。
【００３６】
このように、転写テープ(17)の残量に応じて、残量表示マークの間隔が変化していくため、使用者は、転写テープ(17)の残量の程度を容易に知ることができる。
【実施例４】
【００３７】
図８は、供給リール(20)の第４実施形態を示す斜視図、図９は、同じく側面図である。
【００３８】
この実施形態における供給リール(20)は、転写テープ(21)を巻回す外周面(22)に、高さの異なる複数の突起部(23a)(23b)(23c)が、周方向に沿って３列に、全周に亘って設けられている。すなわち、３列のうち、同列の突起部は、同じ高さを有し、中央の列の突起部(23a)の高さＨ５と、その両隣りの列の突起部(23b)(23c)のそれぞれの高さＨ６，Ｈ７は、Ｈ５＞Ｈ６＞Ｈ７の関係を有している。
【００３９】
このような供給リール(20)を用いることにより、使用中において、供給リール(20)に巻回された転写テープ(21)の残量が少なくなるに従い、まず最初に中央の列の突起部(23a)のみによって打刻された１列の残量表示マークを有する転写テープ(21)およびその塗膜が現れる。
【００４０】
次いで、高さが１番目と２番目に高い両突起部(23a)(23b)によって打刻された２列の残量表示マークを有する転写テープ(21)およびその塗膜が現れる。
【００４１】
その後、高さが異なる３列のすべての突起部(23a)(23b)(23c)によって打刻された３列の残量表示マークを有する転写テープ(21)およびその塗膜が現れる。
【００４２】
このように、転写テープ(21)の残量に応じて、残量表示マークの列が１列、２列、３列と順次増加していくため、使用者は、転写テープ(21)の残量の程度を容易に知ることができる。
【００４３】
なお、以上の実施形態においては、貫通孔の残量表示マークを例にとり説明したが、その他、たとえば押し凹型などの残量表示マークであってもよい。
【図面の簡単な説明】
【００４４】
【図１】本発明の塗膜転写具の一実施形態を、蓋ケースを取り外して示す斜視図である。
【図２】図１に示す塗膜転写具における供給リールの拡大斜視図である。
【図３】同じく、平面図である。
【図４】図１に示す塗膜転写具の使用状態を示す斜視図である。
【図５】供給リールの第２実施形態を示す斜視図である。
【図６】供給リールの第３実施形態を示す斜視図である。
【図７】同じく、平面図である。
【図８】供給リールの第４実施形態を示す斜視図である。
【図９】同じく、側面図である。
【符号の説明】
【００４５】
(１)塗膜転写具
(２)蓋ケース
(2a)開口
(３)供給リール
(４)本体ケース
(4a)開口
(５)ケース
(６)巻取リール
(７)転写ヘッド
(7a)ヘッド部
(８)転写テープ
(8a)内側層
(９)外周面
(10)突起部
(11)残量表示マーク（貫通孔）
(12)塗膜
(13)供給リール
(14)外周面
(15)突起部
(16)供給リール
(17)転写テープ
(18)外周面
(19a)(19b)(19c)突起部
(20)供給リール
(21)転写テープ
(22)外周面
(23a)(23b)(23c)突起部
【図１】
2005343067.tif 000003
【図２】
2005343067.tif 000004
【図３】
2005343067.tif 000005
【図４】
2005343067.tif 000006
【図５】
2005343067.tif 000007
【図６】
2005343067.tif 000008
【図７】
2005343067.tif 000009
【図８】
2005343067.tif 000010
【図９】
2005343067.tif 000011